(57)【要約】【課題】立体的な表現と、昼間時と夜間時において異なった表現が可能で意匠性に優れ、また設置壁面の間口寸法に合わせて長さを容易に調整することができ、生産性、施工性、メインテナンス性等を向上させるようにした外装看板を提供する。【解決手段】壁面に保持用フレーム２を取付け、この保持用フレーム２に化粧板３と、電飾看板４および左右の外装体６、７を配設する。化粧板３の下部に各外装体６、７を下方から照明する照明装置８、９をそれぞれ配設する。左側の外装体６は、２つの外装ユニット２０Ｌ1 、２０Ｌ2 で構成され、右側の外装体７は、３つの外装ユニット２０Ｒ1 〜２０Ｒ3 で構成されている。各外装ユニット２０Ｌ1 、２０Ｌ2 、２０Ｒ1 〜２０Ｒ3 は、シートフレームと、このシートフレームに三次元形状に展張されたテント素材からなる外装用シート２２とで構成され、シート表面には酸化チタンがコーティングされている。【選択図】  図１２
0003145826.tif 000002
【実用新案登録請求の範囲】
【請求項１】
建物等の壁面に設けられた保持用フレームの表面に取付けられる化粧板および外装体と、前記外装体を下方から照明する照明装置とを備え、
前記外装体は、前記保持用フレームに隙間を保って並設された複数の外装ユニットからなり、
前記各外装ユニットは、前記保持用フレームに固定されるシートフレームと、このシートフレームに周縁部が展張された外装用シートとからなり、
前記各外装用シートの表面部は、それぞれ前方に突出し接続部が稜線を形成する上側表面部および下側表面部とで構成されて前記下側表面部が凹曲面に形成され、
全ての外装ユニットを並設した状態において、各外装用シートの稜線は同方向に傾斜した連続する稜線を形成していることを特徴とする外装看板。
【請求項２】
請求項１記載の外装看板において、
前記各外装用シートは、テント素材からなり表面に酸化チタンがコーティングされていることを特徴とする外装看板。
【請求項３】
請求項１または２記載の外装看板において、
前記外装用シートの上側表面部は、上端より下端が前方に位置するように凸曲面に形成されていることを特徴とする外装看板。
【請求項４】
請求項１または２記載の外装看板において、
前記外装用シートの上側表面部は、上端より下端が前方に位置するように凹曲面または平面に形成されていることを特徴とする外装看板。
【請求項５】
請求項１または２記載の外装看板において、
前記外装用シートの上側表面部は、上端より下端が前方に位置するように凹曲面に形成されており、この上側表面部と下側表面部との間の稜線は帯状の凸曲面に形成されていることを特徴とする外装看板。
【請求項６】
請求項１〜５のうちのいずれか一項記載の外装看板において、
前記外装体は、左側外装体と、右側外装体とからなり、これら両外装体間に電飾看板が配設されていることを特徴とする外装看板。
【考案の詳細な説明】
【技術分野】
【０００１】
本考案は、建物等の壁面や屋上等に設置して好適な外装看板に関し、特にファブリック素材を用いてその表面を三次元形状にした立体的な外装看板に関するものである。
【背景技術】
【０００２】
建物の軒部、ファサード、あるいは壁面等に取付けられ表示面を立体的な表示面としたパラペット看板（壁面看板）としては、例えば特許文献１、２、３に開示されているものが知られている。
【０００３】
前記特許文献１に開示されている看板は、本体枠の前面開口部を覆う表示板をアクリル樹脂等の半透明板によって表面側が側面視凸曲面となるように円弧状に形成し、前記本体枠内に配設した照明装置によって表示板を後方から照明するようにしている。
【０００４】
前記特許文献２に記載されている看板も上記した引用文献１に記載の看板とほぼ同様な構造の内照式看板を構成している。
【０００５】
前記特許文献３に記載されている看板は、複数のシートユニットを連結した筒状の看板シートをローラーチェーン移送手段により、移送経路に沿って直線状（平面的）または曲線状（立体的）に移送するようにしている。このような看板によれば、各シートユニットによって複数の異なった表示内容を比較的短時間に順次変更して表示することができるという利点がある。
【０００６】
【特許文献１】特開２００３−０４３９５６号公報
【特許文献２】特開２００７−０８６２９９号公報
【特許文献３】特開２００４−３０９８２９号公報
【考案の開示】
【考案が解決しようとする課題】
【０００７】
しかしながら、上記した引用文献１、２に記載されている従来の外装看板は、いずれも表示板の表示面を単一の連続した凸曲面で構成しているため、意匠性、斬新性等に欠け、見る人に与える印象が弱いという問題があった。
【０００８】
特許文献３に記載されている看板は、ローラーチェーン移送手段を必要とするため、看板自体が大がかりで、高価になるという問題があった。
【０００９】
また、上記した従来の看板は、いずれも設置壁面に合った大きさの表示板または表示シートによって表示面を形成しているので、大型の外装看板の場合、強風時の飛散物によって表示面が一箇所でも破損すると表示板または表示シート全体を交換する必要があり、不経済であるという問題があった。
【００１０】
本考案は上記した従来の問題を解決するためになされたもので、その目的とするところは、立体的な表現と、昼間時と夜間時において異なった表現がなされて意匠性に優れ、また設置壁面の間口寸法に合わせて長さを適宜変えることができ、生産性、施工性、メンテナンス性等を向上させた斬新な外装看板を提供することにある。
【課題を解決するための手段】
【００１１】
上記目的を達成するために本考案は、建物等の壁面に設けられた保持用フレームの表面に取付けられる化粧板および外装体と、前記外装体を下方から照明する照明装置とを備え、前記外装体は、前記保持用フレームに隙間を保って並設された複数の外装ユニットからなり、前記各外装ユニットは、前記保持用フレームに固定されるシートフレームと、このシートフレームに周縁部が展張された外装用シートとからなり、前記各外装用シートの表面部は、それぞれ前方に突出し接続部が稜線を形成する上側表面部および下側表面部とで構成されて前記下側表面部が凹曲面に形成され、全ての外装ユニットを並設した状態において、各外装用シートの稜線を同方向に傾斜した連続する稜線で形成したものである。
【００１２】
また、本考案は、上記考案において、前記各外装用シートがテント素材からなり、表面に酸化チタンをコーティングされたものである。
【００１３】
また、本考案は、上記考案において、前記外装用シートの上側表面部が上端より下端が前方に位置するように凸曲面に形成されているものである。
【００１４】
また、本考案は、上記考案において、前記外装用シートの上側表面部を上端より下端が前方に位置するように凹曲面または平面に形成したものである。
【００１５】
また、本考案は、上記考案において、前記外装用シートの上側表面部を上端より下端が前方に位置するように凹曲面に形成しており、この上側表面部と下側表面部との間の稜線を帯状の凸曲面で形成したものである。
【００１６】
さらに、本考案は、上記考案において、前記外装体が左側外装体と、右側外装体とからなり、これら両外装体間に電飾看板を配設したものである。
【考案の効果】
【００１７】
本考案においては、複数の外装ユニットによって外装体を構成しているので、看板の生産性、施工性、メンテナンス性等を向上させることができる。また、設置壁面の間口寸法に合わせて外装ユニットの数を増減することにより大きさを自由に変更することができる。また、外装ユニットの外装用シートが破損した場合は、そのシートのみを交換するだけでよいので、外装体全体のシートを交換する必要がなく経済的である。
【００１８】
隣り合う外装ユニットは隙間を保って並設されているので、その隙間が隣り合う外装ユニットを仕切る仕切り線となり、外装用シートの稜線とともに、看板の意匠性を高める。また、稜線は、外装用シートの表面に陰影を生じさせるため、昼間時の太陽光と夜間時の照明光によって異なった表情を表現することができ、一層意匠性に優れた三次元形状の看板を提供することができる。すなわち、昼間時は外装シートが太陽光によって上方から照射されるため、稜線による影が下側表面部にでき、外装用シートに立体感を与える。一方、夜間時は照明装置によって外装用シートを下方から照明するため、下側表面部のみが明るく照明されて上側表面部は照明されず、昼間時とは異なった表情を表現することができる。
【００１９】
酸化チタンは、紫外線が当たることにより強力な酸化力が生じ、窒素酸化物（ＮＯｘ）等の有機化合物質や細菌などの有害物質を除去する（大気浄化機能、抗菌機能）。また、酸化チタンは親水性に優れているため、シート表面に塵埃が付着し難く、汚れても雨水で容易に流れ落ちる（防汚機能）。
【００２０】
シート表面で稜線より上側に落ちた雨水は下方および外装ユニット間の隙間より落下する。
【００２１】
外装体を左側外装体と、右側外装体とで構成し、その間に電飾看板を配設した考案においては、電飾看板によって会社名、店名、ロゴ、社標、シンボルマーク、商標、広告等の表示内容を明るく照明することができ、外装体とともに斬新性に富む豊かな表示を可能した看板を提供することができる。
【考案を実施するための最良の形態】
【００２２】
以下、本考案を図面に示す実施の形態に基づいて説明する。
図１は本考案に係る外装看板の一実施の形態を示す正面図、図２は保持用フレームの正面図、図３は外装ユニットの一部を破断して示す正面図、図４は外装ユニットの側面図、図５は左側の外装体の一部を破断して示す正面図、図６（ａ）〜（ｆ）はそれぞれ図５のＡ−Ａ線〜Ｆ−Ｆ線における各外装用ユニットの稜線の突出量とフレーム上端からの距離を示す図、図７は隣り合う外装ユニット間の隙間と展張手段を示す図、図８（ａ）、（ｂ）は同じく外装ユニットのフレームと展張手段を示す側面図およびブラケットの正面図、図９は展張手段の正面図、図１０は展張手段と外装用シートを示す図、図１１は本考案に係る外装看板の他の実施の形態を示す外観斜視図、図１２は外装看板の分解斜視図、図１３は外装用シートの他の実施の形態を示す側面図、図１４はさらに外装用シートの他の実施の形態を示す側面図である。
【００２３】
図１は、本考案の請求項６に記載の外装看板を示すもので、この外装看板１は、図２に示す保持用フレーム２と、この保持用フレーム２に取付けられた化粧板３と、この化粧板３の前面中央に位置するように前記保持用フレーム２に取付けられた電飾看板４と、この電飾看板４の両側に左右対称に配設された左右一対の外装体６、７と、各外装体６、７を下方からそれぞれ照明する左右一対の照明装置８、９とを備え、前記保持用フレーム２を介して建物等の壁面に取付けられることにより、壁面看板を構成している。
【００２４】
図２において、保持用フレーム２は、鉄、アルミニウム合金等の金属材料からなる複数本の型材１０を溶接、ボルト等によって接合することにより横長矩形状の枠体に製作されている。
【００２５】
図１において、化粧板３は、幅方向全長にわたって延在する下板部３Ａと、この下板部３Ａの中央に上方に向かって突設された電飾看板取付部３Ｂと、下板部３Ａの左右両端に対設された左側板部３Ｃおよび右側板部３Ｄとで構成されている（図１２参照）。下板部３Ａの前面で、電飾看板取付部３Ｂと左側板部３Ｃとの間および電飾看板取付部３Ｂと右側板部３Ｄとの間の部分には、前記照明装置８、９がそれぞれ配設されている。電飾看板取付部３Ｂの中央には、矩形の開口部１２が形成されている。このような化粧板３は、アルミニウム複合材、アルミニウムパネル等によって製作され、表面全体が例えば赤色に塗装されている。
【００２６】
電飾看板４は、前記化粧板３の開口部１２と略同じ大きさの矩形のケース４Ａと、このケース４Ａの前面を覆うアクリル樹脂等の半透明板によって形成された表示板４Ｂと、ケース４Ａ内に配設された照明装置４Ｃとを備え、ケース４Ａが前記保持用フレーム２に固定されている。表示板４Ｂの表面には、シンボルマーク、社名、ロゴ等が表示されている。照明装置４Ｃとしては、例えば蛍光灯が用いられる。電飾看板４の大きさは、例えば長さが３０００ｍｍ、高さが３５００ｍｍ、厚さが２５０ｍｍ程度である。
【００２７】
図１、図５および図６において、前方から見て左側の外装体６は、幅方向に分割して形成され適宜な隙間、例えば１０ｍｍの隙間Ｇ（図７）を保って並設された６つの外装ユニット２０Ｌ1 〜２０Ｌ6 で構成され、前記化粧板３の電飾看板取付部３Ｂと左側板３Ｃとの間の空間を覆うように前記保持用フレーム２に固定されている。隣り合う外装ユニット間の前記隙間Ｇには、白色の目地Ｍ（図７）が充填されている。外装ユニット２０Ｌ1 （２０Ｌ2 〜２０Ｌ6 も同様）は、図３〜図４に示すようにシートフレーム２１と、このシートフレーム２１の表面に沿って３次元形状（立体形状）を呈するように展張された外装用シート２２と、この外装用シート２２をシートフレーム２１に緊張した状態で展張する展張手段２３（図７〜図１０参照）とで構成されている。なお、図１では左側（右側も同様）の外装体６を６つの外装ユニット２０Ｌ1 〜２０Ｌ6 で構成した例を示しているが、図５および図６では左端の外装ユニット２０Ｌ6 の図示を省略して５つの外装ユニット２０Ｌ1 〜２０Ｌ5 のみを示している。
【００２８】
シートフレーム２１は、上、下フレーム２４Ａ、２４Ｂと左、右フレーム２４Ｃ、２４Ｄをボルト、溶接等によって縦長の矩形枠状に接合することにより製作され、背面側に設けた左右一対の取付板２４Ｅを介して前記保持用フレーム２に固定されている。このようなシートフレーム２１は、外装ユニット２０Ｌ1 〜２０Ｌ6 をテント生地幅に合わせたユニットとするために、例えば長さ（幅）が１７３０ｍｍ、高さが４２００ｍｍの大きさに製作されている。上下、左右のフレーム２４Ａ〜２４Ｄは、図７および図８に示すようにそれぞれ鉄、アルミニウム等のＬ字形の押出型材によって形成されていることにより、幅広の前面板２５Ａと、この前面板２５Ａの外端に一体に設けられた側板２５Ｂとを有し、かつ前面板２５Ａの内端側には複数個のブラケット２６が所定の間隔をおいて溶接２７により接合されている。
【００２９】
また、左右のフレーム２４Ｃ、２４Ｄは、図４に示すように前方に向かって側面視「へ」の字状に折り曲げ形成されることにより、中間部に前方に突出する折曲部２８ａ、２８ｂを有し、これらの折曲部２８ａ、２８ｂを境にして各フレーム２４Ｃ、２４Ｄの上側表面部分２４Ｃ1 、２４Ｄ1 と下側表面部分２４Ｃ2 、２４Ｄ2 が異なった曲面に形成されている。すなわち、左、右フレーム２４Ｃ、２４Ｄの折曲部２８ａ、２８ｂより下側表面部分２４Ｃ2 、２４Ｄ2 は、緩やかに湾曲する凹曲面に形成されていることにより、下端より上端が前方に突出している。一方、左、右フレーム２４Ｃ、２４Ｄの折曲部２８ａ、２８ｂより上側表面部分２４Ｃ1 、２４Ｄ1 は、下側とは反対に緩やかに湾曲する凸曲面に形成されていることにより、上端より下端が前方に突出している。そして、左、右フレーム２４Ｃ、２４Ｄの折曲部２８ａ、２８ｂより上側部分の表面と前記上フレーム２４Ａの表面には、前記上側表面部分２４Ｃ1 、２４Ｄ1 の凸曲面と同一の凸曲面に湾曲形成されたポリカーボネート等からなる板２９（図４、図５、図７、図８参照）が張られており、これによって前記上フレーム２４Ａと左、右フレーム２４Ｃ、２４Ｄの折曲部２８ａ、２８ｂより上方部分によって囲まれた空間を覆っている。
【００３０】
さらに、左、右フレーム２４Ｃ、２４Ｄの折曲部２８ａ、２８ｂは、図５および図６に示すように全ての外装ユニット２０Ｌ1 〜２０Ｌ6 のシートフレーム２１（２１Ｌ1 〜２１Ｌ6 ）において、前方への突出寸法Ｄ1 〜Ｄ7 （ただし、Ｄ7 は図示せず）およびフレーム上端からの距離Ｓ1 〜Ｓ7 （ただしＳ7 は図示せず）がそれぞれ異なり、内側から外側に向かうにしたがって段階的に小さくなっている。このような外装ユニット２０Ｌ1 〜２０Ｌ6 の折曲部２８ａ、２８ｂは、例えば半径Ｒが２８５００ｍｍで左肩上がりの連続した仮想凸曲面３０の線上に位置するように形成されている。本実施の形態では、内側に位置する一番目のシートフレーム２１Ｌ1 における右フレーム２４Ｄの折曲部２８ｂ（Ｌ1 ）の突出寸法Ｄ1 は４２０ｍｍ、フレーム上端からの距離Ｓ1 は２３００ｍｍ、右から五番目に位置するシートフレーム２１Ｌ5 における左フレーム２４Ｃの折曲部２８ａ（Ｌ5 ）の突出寸法Ｄ6 は３２０ｍｍ、フレーム上端からの距離Ｓ6 は４２４ｍｍである。このため、各シートフレーム２１の左、右フレーム２４Ｃ、２４Ｄの下側表面部２４Ｃ2 、２４Ｄ2 の凹曲面もそれぞれ曲率半径ｒ1〜ｒ7（ただし、ｒ7 は図示せず）が異なり、右端から左端に向かって徐々に大きくなっている。因みに、右端に位置するシートフレーム２１Ｌ1 における右フレーム２４Ｄの下側表面部２４Ｄ2 は、凹曲面の曲率半径ｒ1 が５０００ｍｍ、右端から５番目のシートフレーム２１Ｌ5 における左フレーム２４Ｃの下側表面部２４Ｃ2 は、凹曲面の曲率半径ｒ6 が３２８０５ｍｍである。
【００３１】
一方、全ての外装ユニット２０Ｌ1 〜２０Ｌ6 のシートフレーム２１Ｌ1 〜２１Ｌ6 の各左、右フレーム２４Ｃ、２４Ｄの上側表面部２４Ｃ1 、２４Ｄ1 は、凸曲面の曲率半径ＲO が全て同一で、例えばＲO ＝５０００ｍｍの凸曲面に形成されている。
【００３２】
図３において、前記外装用シート２２は、ファブリック素材（布地素材）、好ましくは白色のテント用素材によって形成され、表面全体に大気浄化、防汚、抗菌、脱臭等の機能を有する酸化チタンがコーティングされている。このような外装用シート２２をシートフレーム２１の上下、左右のフレーム２４Ａ〜２４Ｄの表面および凸曲面からなる板２９の表面に展張すると、折曲部２８ａ、２８ｂに当たって支持される部分が前方に突出し、前記仮想凸曲面３０（図５）と同一の曲率半径Ｒからなる左肩上がりに連続した凸曲面の稜線３１（図１、図５参照）が形成される。また、この稜線３１は、当然のことながら全ての外装ユニット２０Ｌ1 〜２０Ｌ6 において、同一の曲率半径Ｒからなる左肩上がりに連続した凸曲面の稜線を形成している。そして、外装用シート２２の表面は、稜線３１より上方部分が前記左、右フレーム２４Ｃ、２４Ｄの折曲部２８ａ、２８ｂより上側部分と前記板２９と同一の凸曲面からなる上側表面部２２ａを形成し、稜線３１より下方部分が凹曲面からなる下側表面部２２ｂを形成している。
【００３３】
図７〜図１０において、外装用シート２２をシートフレーム２１に展張する展張手段２３としては、ロープ３３と、所要長さ（例えば３００ｍｍ）に形成された複数本のテンションパイプ３４が用いられる。ロープ３３は、外装用シート２２の４辺全てに縫い込まれている。テンションパイプ３４は、鉄パイプ等によって形成され、周面にスリット状の開口３５が全長にわたって形成され、外周面中央で開口部３５とは反対側にはねじ棒３６の一端がテンションパイプ３４と直交するように溶接されている。このようなテンションパイプ３４は、外装用シート２２のロープ３３が縫い込まれた縁部が開口３５から挿入されることにより、外装用シート２２を保持し、前記シートフレーム２１の各フレーム２４Ａ〜２４Ｄに溶接したブラケット２６の挿通溝３７（図８参照）に挿通され、ダブルナット４１によって締結されている。
【００３４】
このような展張手段２３により外装用シート２２をシートフレーム２１に展張する際には、ねじ棒３６を挿通溝３７に挿通してダブルナット４１によりねじ棒３６をブラケット２６に締結し、外装用シート２２を皺が生じないように緊張した状態で展張し、周縁部裏面をブラケット２６の先端と、前面板２５Ａと側板２５Ｂとの接合部に押し付け、さらに両側縁中間部をフシートフレーム２１の折曲部２８ａ、２８ｂに押し付ける。これによって、外装用シート２２の表面は、稜線３１より上側の表面部２２ａがフレーム２４Ｃ、２４Ｄの上側表面部２４Ｃ1 、２４Ｄ1 と同一曲面からなる凸曲面となり、稜線３１より下側の表面部２２ｂがフレーム２４Ｃ、２４Ｄの下側表面部２４Ｃ2 、２４Ｄ2 と同一曲面からなる凹曲面となり、立体的な外装ユニットが組立てられる。なお、展張手段２３としては、ロープ３３とテンションパイプ３４に限らず、複数本の紐を外装用シート２２の全周に逢着し、これによって展張するようにしてもよい。
【００３５】
図１において、右側の外装体７は、上記した左側の外装体６の外装ユニット２０Ｌ1 〜２０Ｌ6 と左右対称に製作された６つの外装ユニット２０Ｒ1 〜２０Ｒ6 で構成されている点が異なるだけで、その他の構成は全く同一である。このため、外装ユニット２０Ｒ1 〜２０Ｒ6 を左から右に並設した状態において、全ての外装用シート２２の稜線５１は左側の外装ユニット２０Ｌ1 〜２０Ｌ6 の稜線３１と左右対称な右肩上がりに連続した凸曲面の稜線を形成している。このような左右の外装体６、７による内側から外側に向かって左右対称な凸曲面の稜線３１、５１は、鳳が翼を広げて飛んでいるようなイメージを表現することができる。なお、右側の外装体７については、上記した通り左側の外装体６と同様な構造であるため、その詳細な説明を省略する。
【００３６】
図１において、各外装体６、７を主として夜間時に下から照明する照明装置８、９としては、例えば各外装ユニット２０Ｌ1 〜２０Ｌ6 、２０Ｒ1 〜２０Ｒ6 と同数個の蛍光灯が用いられ、外装ユニット２０Ｌ1 〜２０Ｌ6 、２０Ｒ1 〜２０Ｒ6 より前方に突出し上向きに設けられている。
【００３７】
このような構造からなる外装看板１において、昼間時は太陽光によって上方から照射されることにより、外装用シート２２の稜線３１、５１の下方に内側から外側に向かって徐々に細くなる髭状の影６５（図１参照）が生じ、これにより外装看板１に立体感を与えるとともに翼をイメージさせる。
【００３８】
一方、夜間時においては照明装置８、９によって外装体６、７を下方から照明する。これにより各外装用シート２２の稜線３１、５１より下側表面部２２ｂのみが明るく照明される。したがって、昼間時とは異なった看板をイメージさせることができる。また、赤、青等のＬＥＤを用いて照明し変化を持たせることにより、一層印象度を高めることができる。また、電飾看板４によって、社名、シンボルマーク、ロゴ等を表示することにより、より一層豊かな表情を持った看板を提供することができる。
【００３９】
また、外装ユニット２０Ｌ1 〜２０Ｌ6 、２０Ｒ1 〜２０Ｒ6 を適宜な隙間Ｇをおいて並設しているので、隙間部分が縦の筋となって視認され、シンプルではあるが外装看板１により一層豊かな表情を持たせることができ、意匠的に斬新な看板を提供することができる。
【００４０】
また、外装用シート２２の表面は、三次元の曲面からなり、内側から外側に向かって傾斜した面を形成しているので、表面に付着した塵、埃等が雨水によって真下および隙間Ｇからに流れ落ちて除去され、シートの汚れ防止効果に優れた看板を提供することができる。
【００４１】
また、外装体６、７をそれぞれ分割形成した６つの外装ユニット２０Ｌ1 〜２０Ｌ6 、２０Ｒ1 〜２０Ｒ6 で構成しているので、外装体６、７の製作、運搬、管理等が容易で、量産性、施工性、メンテナンス性等に優れ、しかも強風時の飛散物によっていずれかの外装ユニットの外装用シート２２が破損した場合は、その外装用シートのみを交換すればよいので経済的である。
【００４２】
また、化粧板３を赤色、外装用シート２２を白色とすることにより、稜線３１、５１による影６５と隙間Ｇによる暗い筋の部分とが相まってシンプルではあるがインパクトが強く、色彩感覚に富む看板を提供することができる。
【００４３】
さらに、取付けるべき建物等の壁面の間口寸法、意匠性等を考慮して外装ユニット２０Ｌ1 〜２０Ｌ6 、２０Ｒ1 〜２０Ｒ6 の使用個数を変更することにより大きさを自由に変更するができる。
【００４４】
図１１〜図１２は本考案の他の実施の形態を示す外観斜視図および分解斜視図である。
なお、図１と同一構成部材については同一符号をもって示し、その説明を適宜省略する。これらの図において、外装看板６０は、左側の外装体６を２つの外装ユニット２０Ｌ1 、２０Ｌ2 で構成し、右側の外装体７を４つの外装ユニット２０Ｒ1 〜２０Ｒ4 で構成し、建物６１の前面壁に設置されている。保持用フレーム２および化粧板３は、左右の外装体６、７に応じた形状、大きさに製作されている。また、左右の外装体６、７の外装用シート２２の稜線３１、５１は、外装ユニットの使用個数が異なるため、左右非対称で左側の稜線３１が右側の稜線５１より短く、このため昼間時においては翼を広げて飛んでいる鳳を右斜め前方から見ているようなイメージを表現することができる。
【００４５】
図１３は本考案の他の実施の形態を示す外装用シートの側面図である。
本実施の形態は、外装用シート２２をシートフレーム２１に側面視形状が「く」の字型となるように展張することにより、稜線３１（５１）より上側表面部分２２ａと下側表面部分２２ｂをそれぞれ凹曲面に形成した例を示す。
【００４６】
図１４は本考案のさらに他の実施の形態を示す外装用シートの側面図である。
本実施の形態は、外装用シート２２を側面視形状が略「く」の字型となるように展張することにより、稜線３１（５１）より上側表面部分２２ａと下側表面部分２２ｂをそれぞれ凹曲面に形成し、稜線３１（５１）部分を帯状の凸曲面７０に形成した例を示す。
【００４７】
この他、本考案は種々の変更、変形が可能であり、例えば外装用シート２２の上側表面部２２ａを傾斜した平面に形成してもよい。
【００４８】
また、上記した実施の形態においては、いずれも左右の外装体６、７の間に電飾看板４を配置した外装看板１、６０について示したが、本考案はこれに何ら特定されるものではなく、電飾看板４より左側部分の保持用フレーム２、化粧板３、外装体６および照明装置８によって外装看板を構成したり、あるいはまた電飾看板４より右側部分の保持用フレーム２、化粧板３、外装体７および照明装置９によって外装看板を構成してもよい（請求項１記載の考案）。
【図面の簡単な説明】
【００４９】
【図１】本考案に係る外装看板の一実施の形態を示す正面図である。
【図２】保持用フレームの正面図である。
【図３】外装ユニットの一部を破断して示す正面図である。
【図４】外装ユニットの側面図である。
【図５】左側の外装体の一部を破断して示す正面図である。
【図６】（ａ）〜（ｆ）はそれぞれ図５のＡ−Ａ線〜Ｆ−Ｆ線における各外装用ユニットの稜線の突出量とフレーム上端からの距離を示す図である。
【図７】隣り合う外装ユニット間の隙間と展張手段を示す図である。
【図８】（ａ）、（ｂ）は同じく外装ユニットのフレームと展張手段を示す側面図およびブラケットの正面図である。
【図９】は展張手段の正面図である。
【図１０】展張手段と外装用シートを示す図である。
【図１１】本考案に係る外装看板の他の実施の形態の外観斜視図である。
【図１２】外装看板の分解斜視図である。
【図１３】外装用シートの他の実施の形態を示す側面図である。
【図１４】さらに外装用シートの他の実施の形態を示す側面図である。
【符号の説明】
【００５０】
１…外装看板、２…保持用フレーム、３…化粧板、４…電飾看板、６、７…外装体、８、９…照明装置、２０Ｌ1 〜２０Ｌ6 、２０Ｒ1 〜２０Ｒ6 …外装ユニット、２１…シートフレーム、２２…外装用シート、２２ａ…上側表面部、２２ｂ…下側表面部、２３…展張手段、３１、５１…稜線、６０…外装看板、Ｇ…隙間。
【図１】
0003145826.tif 000003
【図２】
0003145826.tif 000004
【図３】
0003145826.tif 000005
【図４】
0003145826.tif 000006
【図５】
0003145826.tif 000007
【図６】
0003145826.tif 000008
【図７】
0003145826.tif 000009
【図８】
0003145826.tif 000010
【図９】
0003145826.tif 000011
【図１０】
0003145826.tif 000012
【図１１】
0003145826.tif 000013
【図１２】
0003145826.tif 000014
【図１３】
0003145826.tif 000015
【図１４】
0003145826.tif 000016